(57)【要約】【課題】複数のオーディオ機器を装備して、オーディオの記録中、ユーザが記録対象オーディオ以外のオーディオを聴取できるようにしたオーディオ装置１０において、聴取できるオーディオを最適なものにする。【解決手段】  録音に先立ち、ユーザは、録音中に、録音対象のオーディオとは別のオーディオをスピーカ１９から流すオーディオソースとしてのオーディオ機器について優先順位を設定しておく。優先順位は、ユーザが自分の希望に従いマニュアルで決めてもよいし、所定のプログラムによりユーザの聴取履歴に従い自動的に設定されてもよい。録音が開始されるのに伴い（Ｓ３８正）、録音対象のオーディオの再生側機器Ｕ１及び記録側機器Ｕ２を検出し（Ｓ３９）、Ｕ１，Ｕ２以外で、優先順位が最上位のオーディオ機器Ｕ３を特定する（Ｓ４１）。そして、録音終了まで（Ｓ４２正）、オーディオ機器Ｕ３のオーディオをスピーカ１９から流し続ける（Ｓ４１）。【選択図】図４
2008084526.tif 000002
【特許請求の範囲】
【請求項１】
各オーディオソース機器についてのユーザの利用履歴に基づいて複数のオーディオソース機器についての優先順位を自動設定し（以下、この自動設定された「自動設定優先順位」と言う。）、
オーディオソース機器Ａからオーディオ記録機器Ｂへオーディオ信号を伝送して、オーディオ記録機器Ｂの記録媒体へオーディオを記録中、オーディオソース機器Ａ及びオーディオ記録機器Ｂ以外のオーディオ機器としてのオーディオソース機器の中で自動設定優先順位の最上位のオーディオソース機器Ｄのオーディオをオーディオ出力手段より出力するようにしていることを特徴とするオーディオ装置。
【請求項２】
オーディオソース機器からオーディオ記録機器へオーディオ信号を伝送して、オーディオ記録機器の記録媒体へ複数の記録速度でオーディオを記録自在となっているオーディオ装置において、
記録速度ごとに複数のオーディオソース機器についてユーザに優先順位をあらかじめ設定させ、オーディオソース機器Ａからオーディオ記録機器Ｂへオーディオ信号を伝送して、オーディオ記録機器Ｂの記録媒体へオーディオを記録中、前記オーディオソース機器Ａ及び前記オーディオ記録機器Ｂ以外のオーディオ機器としてのオーディオソース機器の中で、該記録の記録速度に対応のユーザ設定優先順位において最上位のオーディオソース機器Ｄのオーディオをオーディオ出力手段より出力するようにしていることを特徴とするオーディオ装置。
【請求項３】
オーディオソース機器からオーディオ記録機器へ通常速と通常速より高速の少なくとも１個の記録速度（以下、「高速記録速度」と言う。）とで記録自在となっているオーディオ装置において、
オーディオソース機器Ａのオーディオをオーディオ記録機器Ｂへオーディオ信号を伝送して、オーディオ記録機器Ｂの記録媒体へ高速記録速度でオーディオを記録中のみ、オーディオ出力手段からの出力を、オーディオソース機器Ａ及びオーディオ記録機器Ｂ以外のオーディオ機器としてのオーディオソース機器Ｃのオーディオへ自動的に切り替えるようにしていることを特徴とするオーディオ装置。
【請求項４】
複数のオーディオソース機器についてユーザに優先順位をあらかじめ設定させ、オーディオ記録機器Ｂの記録媒体へオーディオを高速記録速度での記録中にオーディオソース機器Ａ及びオーディオ記録機器Ｂ以外のオーディオ機器として選択されるオーディオソース機器Ｃは、オーディオソース機器Ａ及びオーディオ記録機器Ｂ以外のオーディオ機器でかつユーザ設定優先順位において最上位のオーディオ機器としてのオーディオソース機器とされていることを特徴とする請求項３記載のオーディオ装置。
【請求項５】
各オーディオソース機器についてのユーザの利用履歴に基づいて複数のオーディオソース機器についての優先順位を自動設定し（以下、この自動設定された「自動設定優先順位」と言う。）、前記ユーザ設定優先順位の代わりに、自動設定優先順位を使用するようになっていることを特徴とする請求項２又は４記載のオーディオ装置。
【請求項６】
自動設定優先順位は時間帯ごとの優先順位を含み、オーディオの記録中は、自動設定優先順位において現在時刻を含む時間帯の優先順位を使用するようになっていることを特徴とする請求項１又は５記載のオーディオ装置。
【請求項７】
ユーザ設定優先順位及び自動設定優先順位のどちらを使用するかを、ユーザが選択自在としていることを特徴とする請求項５又は６記載のオーディオ装置。
【請求項８】
オーディオの記録中、オーディオ出力手段からの出力を、記録に係るオーディオソース機器以外のオーディオソース機器へ切替えている場合は、記録の終了しだい、オーディオ出力手段からの出力を、記録に係るオーディオソース機器へ戻すようになっていることを特徴とする請求項１〜７のいずれかに記載のオーディオ装置。
【発明の詳細な説明】
【技術分野】
【０００１】
この発明は、例えば種々のオーディオソース機器を聴取可能になっているオーディオ装置に係り、詳しくはオーディオ記録中の利便性を向上したオーディオ装置に関するものである。
【背景技術】
【０００２】
例えば、ＣＤプレーヤ、ＭＤ録再機、カセットテープ録再機、及びチューナを装備するオーディオ装置では、ＣＤからＭＤやカセットテープへ適宜、オーディオを記録可能になっている。
【０００３】
特許文献１には、ＡＭ，ＦＭ，マイク回路及びテープレコーダ回路７等を有し、ＦＭ放送をテープレコーダ回路により記録しながら、ＡＭ放送を聴取可能な、テープレコーダ付きラジオ受信機が記載されている。
【０００４】
特許文献２には、複数のＡＶソース（ビデオフロッピー（登録商標）ＡＢ）がある場合にドライブモード選択手段によるユーザの選択にしたがってドライブの選択を行うビデオフロッピー（登録商標）録画再生装置が記載されている。
【０００５】
特許文献３には、受信する放送番組をあらかじめ設定された優先順位に従い、自動的に選択受信を行うデジタルオーディオ放送の受信機が記載されている。
【特許文献１】実願昭４８−１４１８８４号（実開昭５０−８７８１４号）のマイクロフィルム
【特許文献２】特開平４−２７４０５０号公報
【特許文献３】特開平１１−３４０７９２号公報
【発明の開示】
【発明が解決しようとする課題】
【０００６】
従来のオーディオ装置では、或るオーディオソース機器のオーディオをＭＤ等へ録音中、スピーカからの出力は、その或るオーディオソース機器のオーディオに固定されており、ユーザは、他のオーディオソース機器のオーディオを聞きたくても、聞くことができない。また、ＭＤへの録音では、通常速録音の他に、記録時間を短縮する倍速録音があり、従来のオーディオ装置では、倍速録音中は、オーディオソース機器におけるオーディオの再生も倍速で行われるため、スピーカから出力されるオーディオも倍速であるため、聞いても意味がなかった。
【０００７】
この発明の目的は、上述の問題点を克服するオーディオ装置を提供することである。
【課題を解決するための手段】
【０００８】
この発明のオーディオ装置によれば、オーディオソース機器Ａからオーディオ記録機器Ｂへオーディオ信号を伝送して、オーディオ記録機器Ｂの記録媒体へオーディオを記録中、オーディオソース機器Ａ及びオーディオ記録機器Ｂ以外のオーディオ機器としてのオーディオソース機器Ｃからのオーディオをオーディオ出力手段より出力自在にしている。
【０００９】
オーディオソース機器には、例えば、チューナ、ＣＤプレーヤ、ＭＤプレーヤ、及びカセットテーププレーヤ等が含まれる。オーディオ記録機器には、例えば、ＭＤレコーダ及びカセットテープレコーダが含まれる。例えば、或るＭＤを再生しつつ、別のＭＤへオーディオを記録できるオーディオ装置では、オーディオソース機器とオーディオ記録機器とが同一媒体用オーディオ機器となることもある。また、ＭＤ録再機及びカセットテープ録再機は、オーディオソース機器及びオーディオ記録機器の両方を兼ねることができる。オーディオ出力手段とは例えばスピーカやヘッドホンである。
【００１０】
オーディオ記録中に、オーディオ出力手段からの出力を、オーディオソース機器Ａ及びオーディオ記録機器Ｂ以外のオーディオ機器としてのオーディオソース機器Ｃへ切り替えることは、ユーザの手動操作により行われても、自動的に行われてもよいとする。オーディオソース機器Ｃへの切替では、ユーザが該オーディオソース機器Ｃを選択自在とすることもできる。
【００１１】
こうして、ユーザは、オーディオの記録中、オーディオソース機器Ｃのオーディオをオーディオ出力手段より聞くことができる。
【００１２】
この発明のオーディオ装置によれば、ユーザにあらかじめ所定のオーディオソース機器Ｃを指定させておき、指定オーディオソース機器Ｃ以外のオーディオ機器としてのオーディオソース機器Ａ及びオーディオ記録機器Ｂについてオーディオソース機器Ａからオーディオ記録機器Ｂへオーディオ信号を伝送して、オーディオ記録機器Ｂの記録媒体へオーディオを記録中、指定オーディオソース機器Ｃのオーディオをオーディオ出力手段より出力するようにしている。
【００１３】
こうして、指定オーディオソース機器Ｃ以外のオーディオ機器としてのオーディオソース機器Ａ及びオーディオ記録機器Ｂがそれぞれソース機器及び記録機器として関与するオーディオ記録中は、ユーザは、なんら操作することなく、指定オーディオソース機器Ｃのオーディオをオーディオ出力手段より聞くことができる。
【００１４】
この発明のオーディオ装置によれば、複数のオーディオソース機器についてユーザにあらかじめ優先順位を設定させ、オーディオソース機器Ａからオーディオ記録機器Ｂへオーディオ信号を伝送して、オーディオ記録機器Ｂの記録媒体へオーディオを記録中、オーディオソース機器Ａ及びオーディオ記録機器Ｂ以外のオーディオ機器としてのオーディオソース機器の中でユーザ設定優先順位の最上位のオーディオソース機器Ｄのオーディオをオーディオ出力手段より出力するようにしている。
【００１５】
例えば、ＭＤ録再機がユーザ設定優先順位で１番に設定されていても、今回の記録においてＭＤ録再機がオーディオソース機器又はオーディオ記録機器となっている場合には、ＭＤ録再機を、オーディオ出力手段からの出力用オーディオソース機器Ｄとして選択不能である。したがって、オーディオソース機器Ａ及びオーディオ記録機器Ｂ以外のオーディオ機器でかつユーザ設定優先順位の上位に設定されたオーディオ機器としてのオーディオソース機器Ｄのオーディオがオーディオ出力手段より出力されることにより、ユーザは、該記録に関わっていないオーディオソース機器の中で、優先順位の最上位のものを聞くことができる。
【００１６】
この発明のオーディオ装置によれば、複数のラジオ放送についてユーザにあらかじめ優先順位を設定させ、チューナ以外のオーディオソース機器からオーディオ記録機器へオーディオ信号を伝送して、オーディオ記録機器の記録媒体へオーディオの記録中、現時点で、受信電波の電界強度が所定値以上であるラジオ放送の中でユーザ設定優先順位の最上位のラジオ放送のオーディオをオーディオ出力手段より出力するようにしている。
【００１７】
ラジオ放送の中には、受信電波が、夜間では、所定電界強度Ｅ以上にもかかわらず、昼間では、所定電界強度Ｅ未満であることがあると言うように、時間帯によって変化することがある。チューナ以外のオーディオソース機器を選択して、そのオーディオをオーディオ記録機器に記録しているときに、ユーザは、記録中のオーディオに代えて、現在、支障なく聞けるラジオ放送の中で、優先順位の最上位のものを聞くことができる。
【００１８】
この発明のオーディオ装置によれば、オーディオソース機器からオーディオ記録機器へオーディオ信号を伝送して、オーディオ記録機器の記録媒体へ複数の記録速度でオーディオを記録自在となっている。このオーディオ装置において、記録速度ごとに複数のオーディオソース機器についてユーザに優先順位をあらかじめ設定させ、オーディオソース機器Ａからオーディオ記録機器Ｂへオーディオ信号を伝送して、オーディオ記録機器Ｂの記録媒体へオーディオを記録中、オーディオソース機器Ａ及びオーディオ記録機器Ｂ以外のオーディオ機器としてのオーディオソース機器の中で、該記録の記録速度に対応のユーザ設定優先順位において最上位のオーディオソース機器Ｄのオーディオをオーディオ出力手段より出力するようにしている。
【００１９】
例えば、ＣＤからＭＤへの記録では、通常速と倍速とがある。記録速度ごとにユーザ設定優先順位を用意し、ユーザは、オーディオソース機器Ａのオーディオに代えて、今回の記録における記録速度に対応のユーザ設定優先順位において、オーディオソース機器Ａ及びオーディオ記録機器Ｂ以外で最上位のオーディオ機器としてのオーディオソース機器Ｄのオーディオを聞くことができる。
【００２０】
この発明のオーディオ装置によれば、オーディオソース機器からオーディオ記録機器へ通常速と通常速より高速の少なくとも１個の記録速度（以下、「高速記録速度」と言う。）とで記録自在となっている。このオーディオ装置において、オーディオソース機器Ａのオーディオをオーディオ記録機器Ｂへオーディオ信号を伝送して、オーディオ記録機器Ｂの記録媒体へ高速記録速度でオーディオを記録中のみ、オーディオ出力手段からの出力を、オーディオソース機器Ａ及びオーディオ記録機器Ｂ以外のオーディオ機器としてのオーディオソース機器Ｃのオーディオへ自動的に切り替えるようにしている。
【００２１】
例えば、ＣＤからＭＤへの倍速録音では、ＣＤは、倍速録音に合わせて倍速で再生されるので、ユーザが、オーディオソース機器の倍速の再生オーディオを聞いても意義がない。このオーディオ装置では、通常速での記録中では、オーディオソース機器Ａのオーディオがオーディオ出力手段から出力されるのに対して、高速記録速度での記録中では、ユーザは、オーディオソース機器Ａのオーディオに代えて、オーディオソース機器Ｃのオーディオを聞くことができ、聞いても意義のないオーディオをオーディオ出力手段から出力する事態を回避できる。
【００２２】
この発明のオーディオ装置によれば、複数のオーディオソース機器についてユーザに優先順位をあらかじめ設定させ、オーディオ記録機器Ｂの記録媒体へオーディオを高速記録速度での記録中にオーディオソース機器Ａ及びオーディオ記録機器Ｂ以外のオーディオ機器として選択されるオーディオソース機器Ｃは、オーディオソース機器Ａ及びオーディオ記録機器Ｂ以外のオーディオ機器でかつユーザ設定優先順位において最上位のオーディオ機器としてのオーディオソース機器とされている。
【００２３】
これにより、高速記録速度での記録中にオーディオ出力手段から出力するオーディオソース機器Ｃが支障なくかつユーザの嗜好を反映したものに選択される。
【００２４】
この発明のオーディオ装置によれば、各オーディオソース機器についてのユーザの利用履歴に基づいて複数のオーディオソース機器についての優先順位を設定し（以下、この自動設定された「自動設定優先順位」と言う。）、ユーザ設定優先順位の代わりに、自動設定優先順位を使用するようになっている。
【００２５】
ユーザは、記録時に利用する優先順位を一々手動で設定する手間を省かれるとともに、ユーザの好みを反映した適切な優先順位が設定することができる。
【００２６】
この発明のオーディオ装置によれば、自動設定優先順位は時間帯ごとの優先順位を含み、オーディオの記録中は、自動設定優先順位において現在時刻を含む時間帯の優先順位を使用するようになっている。
【００２７】
ユーザは、選択するオーディオソース機器が、例えば、朝、昼、夜等の時間帯によって異なることがある。したがって、今回の記録における時間帯に応じた適切なオーディオソース機器を記録中に聞くことができる。
【００２８】
この発明のオーディオ装置によれば、ユーザ設定優先順位及び自動設定優先順位のどちらを使用するかを、ユーザが選択自在としている。
【００２９】
ユーザは、自動設定優先順位とユーザ設定優先順位とを適宜切替えて、状況に応じた適切なオーディオソース機器のオーディオをオーディオ記録中に聞くことができる。
【００３０】
この発明のオーディオ装置によれば、オーディオの記録中、オーディオ出力手段からの出力を、記録に係るオーディオソース機器以外のオーディオソース機器へ切替えている場合は、記録の終了しだい、オーディオ出力手段からの出力を、記録に係るオーディオソース機器へ戻すようになっている。
【００３１】
こうして、記録の終了しだい、オーディオ出力手段からの出力オーディオが、記録中のオーディオソース機器のものから、記録に係るオーディオソース機器のものへ切り替わり、ユーザは、記録の終了を速やかに知ることができる。
【発明を実施するための最良の形態】
【００３２】
以下、発明の実施の形態について図面を参照して説明する。
図１はオーディオ装置１０の構成図である。オーディオ装置１０は、オーディオ機器としてチューナ１１、ＣＤプレーヤ１２、ＭＤ録再機１３、及びカセットテープレコーダ１４を有している。チューナ１１、ＣＤプレーヤ１２、ＭＤ録再機１３、及びカセットテープレコーダ１４はオーディオソース機器として機能し、ＭＤ録再機１３及びカセットテープレコーダ１４はオーディオ記録機器としても機能する。セレクタコントロール部１７は、オーディオの記録についてオーディオソース機器とオーディオ記録機器とを選択し、オーディオソース機器からのオーディオをオーディオ記録機器へ送るようになっている。セレクタコントロール部１７は、また、スピーカ１９から流すオーディオについて、そのオーディオソース機器を選択し、そのオーディオソース機器のオーディオを、増幅部１８を介してスピーカ１９へ送る。図１の状態では、ＣＤプレーヤ１２の再生オーディオをＭＤ録再機１３のＭＤに録音しつつ、チューナ１１からの所定のラジオ放送のオーディオをスピーカ１９から流しており、記録用のオーディオの流れは破線で、また、スピーカ出力用のオーディオの流れは太実線で、それぞれ示されている。
【００３３】
図２は優先順位をユーザが設定するプログラムのフローチャートである。Ｓ２５では、ユーザが、リモコンのキー等を操作して、自分の希望に従って、各オーディオ機器について優先順位を設定する。例えば、優先順位の上位から順番にＣＤプレーヤ１２、チューナ１１、ＭＤ録再機１３、及びカセットテープレコーダ１４とされる。Ｓ２６では、Ｓ２４で入力されたユーザ設定優先順位がメモリに記録される。
【００３４】
図３は優先順位を自動設定するプログラムのフローチャートである。このプログラムは、例えば、ユーザがオーディオ装置１０を所定時間使用してから、パワーオフを指示した時に、オーディオ装置１０のマイコンが、パワー用のスイッチをオフにして、各機器の作動を停止するとともに、自らも休止状態になる前に、実行される。なお、このオーディオ装置１０のマイコンは、休止中、すなわちパワーオフ中も、リモコンからパワーオン信号を受信して、パワー用スイッチをオンにする機能を達成できる電力供給を確保されている。Ｓ３０では、今日の日付、各オーディオソース機器についての今回の利用時間（今回のパワーオンからパワーオフするまでの各オーディオソース機器についての利用時間）を利用履歴として記憶する。なお、記憶する利用履歴には、日付（例：２月６日）及び利用時間（例：チューナ１１及びＣＤプレーヤ１２の利用時間はそれぞれ２５分及び３０分。）の他に、例えば朝、昼、夜の利用時間帯等を含め、より細かい利用履歴を構築することができる。Ｓ３１では、例えば一週間以上前とか１月以上前とかの一定期間前の利用履歴を消去する。こうして、必要メモリ容量を低減しつつ、直近、所定期間の履歴をメモリに保持できる。Ｓ３２では、利用履歴に基づいて自動設定優先順位を更新する。自動設定優先順位の更新の具体例では、利用履歴において各オーディオソース機器についての利用時間を調べ、利用時間の多いオーディオソース機器の順に１番から優先順位を割り当てていく。利用履歴は、例えば、朝、昼、及び夜の時間帯ごとに作成してもよい。
【００３５】
図４は記録中のセレクタコントロール部１７の制御プログラムのフローチャートである。なお、Ｓ４０で使用される利用履歴は、図２のユーザ設定優先順位とするか、図３の自動設定優先順位とするかは、ユーザがあらかじめ選択しておく。Ｓ３８では、オーディオの記録開始（＝録音開始）か否かを判定し、判定がＹＥＳであれば、Ｓ３９へ進み、ＮＯであれば、該プログラムを終了する。Ｓ３９では、今回の記録に係るオーディオソース機器及びオーディオ記録機器をそれぞれＵ１，Ｕ２とする。Ｓ４０では、Ｕ１及びＵ２以外のオーディオソース機器の中で、優先順位の最上位のものをＵ３とする。例えば、優先順位がＣＤプレーヤ１２、チューナ１１、ＭＤ録再機１３、及びカセットテープレコーダ１４の順である場合、図１の例では、Ｕ１及びＵ２はそれぞれＣＤプレーヤ１２及びＭＤ録再機１３であるので、ＣＤプレーヤ１２は、優先順位で１位であるものの、Ｕ１と重複しており、Ｕ３は優先順位では２位のチューナ１１となる。なお、Ｕ２をＵ３から排除する理由は、Ｕ２をオーディオ記録機器として使用しつつ、同時に再生することは困難だからである。また、時間帯に対応する自動設定優先順位を利用するときは、現在時刻を検出して、その現在時刻を含む時間帯の自動設定優先順位をメモリから読み出して、それに基づいてＵ３を決定する。Ｓ４１では、スピーカ１９からＵ３のオーディオを出力する。これにより、ユーザは、今回の録音におけるオーディオソース機器以外のオーディオソース機器のオーディオをスピーカ１９から聞くことができる。Ｓ４２では、オーディオの記録が終了したか否かを判定し、判定がＹＥＳになりしだい、Ｓ４３へ進む。Ｓ４３では、スピーカ１９からＵ１のオーディオを出力する。スピーカ１９からのオーディオのＵ３からＵ１への切替により、ユーザは記録の終了したことを知る。
【図面の簡単な説明】
【００３６】
【図１】オーディオ装置の構成図である。
【図２】優先順位をユーザが設定するプログラムのフローチャートである。
【図３】優先順位を自動設定するプログラムのフローチャートである。
【図４】記録中のセレクタコントロール部の制御プログラムのフローチャートである。
【符号の説明】
【００３７】
１０：オーディオ装置、１１：チューナ、１２：ＣＤプレーヤ（オーディオソース機器）、１３：ＭＤ録再機（オーディオ記録機器）、１４：カセットテープレコーダ、１７：セレクタコントロール部、１９：スピーカ。
【図１】
2008084526.tif 000003
【図２】
2008084526.tif 000004
【図３】
2008084526.tif 000005
【図４】
2008084526.tif 000006